(57)【要約】【課題】再生信号に影響しないようにノイズ成分を低減することができると共に、初期化に要する時間を短くすることができる光磁気ディスクの初期化方法を提供する。【解決手段】光学ピックアップの変調伝達関数（ＭＴＦ）のカットオフ周波数以上の周波数成分を有する記録パターンを記録する工程を有して光磁気ディスク１０の初期化を行い、この工程を、複数の記録トラックに跨って光ＬＢを照射すると共に、カットオフ周波数以上の周波数を有する変調信号を磁界印加手段２４に供給し、この磁界印加手段２４から複数の記録トラックに跨ってその変調信号に対応した磁界を印加することにより行う。【選択図】  図２
2004164694.tif 000002
【特許請求の範囲】
【請求項１】
光学ピックアップを有するドライブ装置にて記録再生が行われる光磁気ディスクに対して、
上記光学ピックアップの変調伝達関数（ＭＴＦ）のカットオフ周波数以上の周波数成分を有する記録パターンを記録する工程を有し、
上記工程は、複数の記録トラックに跨って光を照射すると共に、上記カットオフ周波数以上の周波数を有する変調信号を磁界印加手段に供給し、該磁界印加手段から上記複数の記録トラックに跨って上記変調信号に対応した磁界を印加する
ことを特徴とする光磁気ディスクの初期化方法。
【請求項２】
光学ピックアップを有するドライブ装置にて記録再生が行われる光磁気ディスクに対して、
上記光学ピックアップの変調伝達関数（ＭＴＦ）のカットオフ周波数以上の周波数成分を有する記録パターンを記録する工程を有し、
上記工程は、上記光磁気ディスクの記録層に対して一様に一方向に磁化した後に、上記カットオフ周波数以上の周波数を有する変調信号を光照射手段に供給し、該光照射手段より複数の記録トラックに跨って上記変調信号に対応した強度の光を照射すると共に、磁界印加手段により上記複数の記録トラックに跨って上記一様に磁化した方向とは逆方向の磁界を印加する
ことを特徴とする光磁気ディスクの初期化方法。
【発明の詳細な説明】
【０００１】
【発明の属する技術分野】
本発明は、光磁気ディスクの初期化方法に係わる。
【０００２】
【従来の技術】
楽音情報等の情報を記録するための媒体として、ミニディスク（ＭＤ）と呼ばれる光磁気ディスクが広く用いられており、国内及び海外で普及が進んでいる。このミニディスク（ＭＤ）においては、グルーブに情報の記録が行われており、グルーブとグルーブとの距離即ちトラックピッチＴＰは０．１６μｍ程度である。
【０００３】
このようなミニディスク（ＭＤ）のシステムにおいて、ミニディスクが広く普及が進んでいることを生かして、今後動画等も記録できるようなシステムへと変更することが要望されている。
このシステムの変更においては、特にミニディスクの高記録密度化が重要点となる。従来のように音楽情報を記録する場合には、１００ＭＢ余りでも充分足りるが、動画を記録する場合には、画質にもよるが、その１０倍以上の記録容量が必要となる。
【０００４】
このような背景により、トラック方向の記録密度を高めると共に、記録方式に磁気超解像方式（ＭＳＲ方式：Ｍａｇｎｅｔｉｃａｌｌｙ  Ｉｎｄｕｃｅｄ  Ｓｕｐｅｒ  Ｒｅｓｏｌｕｔｉｏｎ  ）を採用した光磁気ディスクが提案されている。
【０００５】
以下、この磁気超解像方式（ＭＳＲ方式）について簡単に説明する。
この技術は、光磁気ディスクに少なくとも記録層と再生層との２つの磁性層を設け、光磁気ディスク上に形成されるレーザ光のスポットにおいて、このスポット内の位置により温度が異なることを利用したものである。
そして、スポット内の所定の温度より高い部分において、記録層の記録パターンよりも大きいパターンが再生層に出現するように工夫することにより、記録層の記録パターンをより小さくしても記録された情報の再生を可能にしたものである。
これにより、記録パターンの解像度を向上させて、高い記録密度を実現することができる。
【０００６】
このＭＳＲ方式の光磁気ディスクは、細かく分かるといくつかの方式がある。
例えばある限定された温度領域でのみ記録層の磁化が再生層に転写され、当該温度領域に相当しない温度領域では、記録層の磁性膜の磁化に係わらず再生層の磁性膜の磁化が一方向に向くような磁気的なマスクを形成するＤ−ＲＡＤ（Ｄｏｕｂｌｅ−ｍａｓｋ  Ｒｅａｒ  Ａｐｅｒｔｕｒｅ  ）方式、磁区を拡大させる方式（例えば、特許文献１及び特許文献２参照）、ＤＷＤＤ（Ｄｏｍａｉｎ  Ｗａｌｌ  Ｄｉｓｐｌａｃｅｍｅｎｔ  Ｄｅｔｅｃｔｉｏｎ）方式即ち磁壁を移動させる方式（特許文献３参照）等が提案されている。このうち、Ｄ−ＲＡＤ方式は、いわゆるＧＩＧＡＭＯ規格として既に規格化・商品化されている。
【０００７】
【特許文献１】
特許第２８０５７４６号公報
【特許文献２】
特開平８−７３５０号公報
【特許文献３】
特開平６−２９０４９６号公報
【０００８】
【発明が解決しようとする課題】
ところで、光磁気ディスクや、その他光ディスクにおいては、記録や再生に使用される光の波長と、光学ピックアップのレンズの開口数ＮＡとによって、集光されるスポットの形状が決定される。
【０００９】
スポットの形状が決定されると、そのスポットで採用できるトラックピッチ並びに線密度に相当する最短ビット長が決定される。
【００１０】
磁気超解像方式の光磁気ディスク、例えば上述したＤＷＤＤ方式の光磁気ディスクの場合、線密度は、光学ピックアップの変調伝達関数（ＭＴＦ：ＭｏｄｕｌａｔｉｏｎＴｒａｎｓｆｅｒ  Ｆｕｎｃｔｉｏｎ）のカットオフ周波数以上の周波数のマークを記録・再生することが可能な程度まで高めることができる。
ただし、半径方向のトラックピッチは、他の記録トラックへのクロストークやクロスライトを防ぐために制限される。
しかし、クロスライトに関しては、グルーブ及びランドを形成してそのうち一方だけを記録トラック領域として、他方を非記録トラック領域とすることにより、記録トラック領域の間に非記録トラック領域が設けられるため、クロスライトを大幅に軽減することができる。
また、クロストークに関しては、ＤＷＤＤ方式等の磁気超解像方式の光磁気ディスクでは、記録マークがある一定温度以上にならないと拡大しないため、通常は、グルーブ記録の場合はランドの、ランド記録の場合はグルーブの、即ち非記録トラック領域に記録された記録パターンのうち、光学ピックアップの変調伝達関数のカットオフ周波数以上の周波数を有する成分は検出されない。
【００１１】
しかしながら、非記録トラック領域に記録された記録パターンのうち、カットオフ周波数未満の周波数を有する成分は、そのまま検出されてしまうため、記録トラック領域に記録された信号を検出する際にノイズ成分となり、再生信号のＳ／Ｎ比を劣化させてしまう。記録密度を向上する目的でトラックピッチを狭くしようとすると、この点が問題となる。
【００１２】
さらに、光磁気ディスクの場合、成膜直後の磁性膜は様々な方向に磁化が向いているために、それがノイズ成分となる。
記録トラック領域では、一度記録してしまえば、このノイズ成分が消えてしまう。一方、非記録トラック領域では、このノイズ成分がそのまま残ることになるため、トラックピッチを狭くすることにより、このノイズ成分が検出されてクロストークを生じ、再生信号のＳ／Ｎ比を劣化させ、信号品質を低下させる原因となる。
【００１３】
そこで、非記録トラック領域、即ちグルーブ記録の場合はランドを、ランド記録の場合はグルーブを、一様な方向の磁化に揃えることが考えられる。
予め、このように非記録トラック領域を一様な方向の磁化に揃える初期化を行っておくことにより、上述した磁化の方向の乱れによるノイズ成分を大幅に低減することができ、再生特性を向上させることができる。
【００１４】
ところが、ＤＷＤＤ方式等の磁気超解像方式の光磁気ディスクの場合、外部からの磁界が存在すると、記録マークの拡大を妨げる要因となってしまう。
従って、非記録トラック領域（ランドもしくはグルーブ）を一様な方向の磁化に揃えておくことにより、上述したようにノイズを低減することはできるが、一様な磁化方向にされた非記録トラック領域（ランドもしくはグルーブ）からの浮遊磁界の影響により、記録マークの拡大が妨げられ、これによりエラーレートが悪化するおそれがある。
また、光学ピックアップの２軸アクチュエータのマグネットからの漏れ磁界でも同様の悪影響が懸念される。
【００１５】
そこで、２軸アクチュエータからの漏れ磁界の方向と、非記録トラック領域（ランドもしくはグルーブ）を初期化する方向とを逆方向にすることにより、それぞれの影響を相殺することができ、良好な再生特性を得ることができる。
【００１６】
しかしながら、初期化された非記録トラック領域からの浮遊磁界が、２軸アクチュエータからの漏れ磁界と比較して充分大きい場合には、上述のように磁界を逆方向にしてそれぞれの影響を相殺しても、影響をなくすことが難しくなる。
従って、この場合には、初期化された非記録トラック領域からの浮遊磁界の影響をさらに減らす必要がある。
そのためには、非記録トラック領域を全て一様な方向に磁化するのではなく、この一様な方向に磁化された短い記録パターンを形成（書き込み）すればよい。
【００１７】
このとき、この記録パターンの信号の周波数が、光学ピックアップの変調伝達関数のカットオフ周波数未満である場合には、検出されてノイズ成分として再生信号に漏れ込んでしまう。
そこで、光学ピックアップの変調伝達関数のカットオフ周波数以上となるような、信号の周波数を有する記録パターンを書き込めば、この記録パターンは検出されないため、クロストークをなくして再生信号には影響しないようにすることができ、またノイズ成分を低減することができる。
【００１８】
しかしながら、上述したように、光学ピックアップの変調伝達関数のカットオフ周波数以上となるような、信号の周波数を有する記録パターン（記録マーク）を、非記録トラック領域に記録しようとすると、トラッキングをかけて記録する必要がある。
また、トラッキングをかけた状態で記録する場合、使用するトラックの本数分だけ記録する必要があり、ディスク全面に対して記録パターンを記録するのに時間がかかる。
これにより、初期化に要する時間が長くなり、光磁気ディスクの製造における生産性が低下したり、ユーザーが初期化する場合の待ち時間が長くなったりすることになる。
【００１９】
上述した問題の解決のために、本発明においては、再生信号に影響しないようにノイズ成分を低減することができると共に、初期化に要する時間を短くすることができる光磁気ディスクの初期化方法を提供するものである。
【００２０】
【課題を解決するための手段】
本発明の光磁気ディスクの初期化方法は、光学ピックアップを有するドライブ装置にて記録再生が行われる光磁気ディスクに対して、光学ピックアップの変調伝達関数（ＭＴＦ）のカットオフ周波数以上の周波数成分を有する記録パターンを記録する工程を有し、この工程は、複数の記録トラックに跨って光を照射すると共に、カットオフ周波数以上の周波数を有する変調信号を磁界印加手段に供給し、この磁界印加手段から複数の記録トラックに跨ってその変調信号に対応した磁界を印加するものである。
【００２１】
上述の本発明の光磁気ディスクの初期化方法によれば、光学ピックアップの変調伝達関数（ＭＴＦ）のカットオフ周波数以上の周波数成分を有する記録パターンを記録する工程を有し、この工程は、複数の記録トラックに跨って光を照射すると共に、カットオフ周波数以上の周波数を有する変調信号を磁界印加手段に供給し、この磁界印加手段から複数の記録トラックに跨ってその変調信号に対応した磁界を印加することにより、複数の記録トラックに跨った広い領域に同時に磁界変調記録方式によってカットオフ周波数以上の周波数成分を有する記録パターンを記録することができる。
これにより、記録トラックに光磁気ディスクに記録する情報に対応した信号の記録を行った後にも、記録トラックの間の非記録トラック領域にカットオフ周波数以上の周波数成分を有する記録パターンが残り、情報に対応した信号を再生する際に、この記録パターンは検出されないため、再生信号に対する非記録トラック領域からのノイズ成分を低減することが可能になる。
【００２２】
本発明の光磁気ディスクの初期化方法は、光学ピックアップを有するドライブ装置にて記録再生が行われる光磁気ディスクに対して、この光学ピックアップの変調伝達関数（ＭＴＦ）のカットオフ周波数以上の周波数成分を有する記録パターンを記録する工程を有し、この工程は、光磁気ディスクの記録層に対して一様に一方向に磁化した後に、カットオフ周波数以上の周波数を有する変調信号を光照射手段に供給し、この光照射手段より複数の記録トラックに跨ってその変調信号に対応した強度の光を照射すると共に、磁界印加手段により複数の記録トラックに対して一様に磁化した方向とは逆方向の磁界を印加するものである。
【００２３】
上述の本発明の光磁気ディスクの初期化方法によれば、この光学ピックアップの変調伝達関数（ＭＴＦ）のカットオフ周波数以上の周波数成分を有する記録パターンを記録する工程を有し、この工程は、光磁気ディスクの記録層に対して一様に一方向に磁化した後に、カットオフ周波数以上の周波数を有する変調信号を光照射手段に供給し、この光照射手段より複数の記録トラックに跨ってその変調信号に対応した強度の光を照射すると共に、磁界印加手段により複数の記録トラックに対して一様に磁化した方向とは逆方向の磁界を印加することにより、複数の記録トラックに跨った広い領域に同時に光変調記録方式によりカットオフ周波数以上の周波数成分を有する記録パターンを記録することができる。
これにより、記録トラックに光磁気ディスクに記録する情報に対応した信号の記録を行った後にも、記録トラックの間の非記録トラック領域にカットオフ周波数以上の周波数成分を有する記録パターンが残り、情報に対応した信号を再生する際に、この記録パターンは検出されないため、再生信号に対する非記録トラック領域からのノイズ成分を低減することが可能になる。
【００２４】
【発明の実施の形態】
まず、本発明に適用される光磁気ディスクの一形態の概略構成図（拡大断面図）を図１に示す。
この光磁気ディスク１０は、透明なディスク基板１に、第１誘電体層２、再生層３、切断層４、記録層５、第２誘電体層６、熱拡散層７、保護コート層８が積層されて構成されている。再生層３、切断層４、並びに記録層５は、それぞれ磁性膜により形成され、３層の磁性膜の積層構造となっている。
また、ディスク基板１には、溝１Ａが形成されており、他の各層（誘電体層２〜熱拡散層７）においても、この溝１Ａに対応して凹凸を有するように形成されている。基板１に溝１Ａが形成された部分をグルーブＧ、溝１Ａが形成されていないその他の部分をランドＬと呼ぶ。
【００２５】
この光磁気ディスク１０に対して、情報の記録や再生を行う場合には、透明なディスク基板１側から、磁性層３，４，５に対してレーザ光等の光が照射される。
【００２６】
この光磁気ディスク１０を構成する各層のうち、誘電体層２〜熱拡散層７まではスパッタ法等の物理的成膜方法により形成し、保護コート層８はスピンコート等により成膜する。
【００２７】
本発明においては、まず、この光磁気ディスク１０において、ランドＬ或いはグルーブＧのいずれか一方を情報信号が記録される記録トラック領域として使用して、他方は非記録トラック領域として使用する。
これにより、各記録トラック領域の間に非記録トラック領域が挟まれるため、記録したい記録トラック以外の記録トラックに記録してしまうクロスライトを防止して、クロスライトによるノイズ成分をなくすことができる。
【００２８】
そして、記録トラック領域においては、再生層３、切断層４、並びに記録層５の３層の磁性膜において、磁気超解像方式（ＭＳＲ方式）による情報の記録・再生が行われる。
記録層５には情報に応じた記録信号が記録される。
切断層４は、通常は再生層３及び記録層５の磁化の向きのパターンを対応させるように（即ち再生層３及び記録層５における磁壁や磁区の位置を一致させるように）結合しているが、光の照射によりそのスポットの一部が所定の温度を超えたときには、この結合が切断されて、結果として再生層３の磁区が拡大されるように作用する。
これにより、記録層５の記録密度を大きくしてパターンが小さくなっても、再生層３で拡大されたパターンを利用して再生することができ、光磁気ディスク１０の記録密度を向上することができる。
【００２９】
この光磁気ディスク１０には、上述した磁気超解像方式（ＭＳＲ方式）の各種方式、即ちＤ−ＲＡＤ方式、磁区拡大方式、ＤＷＤＤ方式のいずれを適用してもよい。そして、適用する方式に合わせて光磁気ディスク１０の各層、並びに光磁気ディスク１０に対して記録再生を行う記録再生装置を構成すればよい。
【００３０】
この光磁気ディスク１０に対して、本発明を適用する場合には、少なくとも非記録トラック領域に、光磁気ディスク１０に記録する情報の記録・再生を行う光学ピックアップの変調伝達関数（ＭＴＦ）のカットオフ周波数以上の周波数成分を有する記録パターンを形成する（書き込む）工程を有して初期化を行う。
【００３１】
光学ピックアップの変調伝達関数（ＭＴＦ）のカットオフ周波数ｆｃは、光学ピックアップのレンズの開口数ＮＡと、光の波長λとから求められ、ｆｃ＝（２×ＮＡ）／λとなる。
このカットオフ周波数ｆｃは空間周波数（一定長さ当たりの個数）であるので、記録再生時における光磁気ディスクの線速度を掛けることにより、一般的な周波数（一定時間当たりの個数）に直したカットオフ周波数となる。これが信号のカットオフ周波数となり、これにより再生における検出限界を求めることができる。
【００３２】
ここで、図１の光磁気ディスク１０に対して、波長λ＝７８０ｎｍで開口数ＮＡ＝０．４５の光学系を使用した場合を例にとって説明する。
ディスク線速度ｖをｖ＝１．９２ｍ／ｓとすると、信号のカットオフ周波数Ｆは、Ｆ＝ｆｃ×ｖ＝（２×ＮＡ）／λ×ｖ＝約２．３ＭＨｚとなる。
このとき、検出限界のマーク長Ｌｍｉｎは、Ｌｍｉｎ＝１／Ｆ＝約０．４３５μｍとなる。
光学ピックアップのＭＴＦのカットオフ周波数以上の周波数成分を有する記録パターンとは、この場合パターン長が０．４３５μｍ以下の記録パターンから成る。
従って、パターン長が０．４３５μｍ以下の記録パターンを非記録トラック領域に記録すればよい。
【００３３】
尚、ＭＴＦのカットオフ周波数以上の周波数成分を有する記録パターンは、例えばパターン長を一定とした繰り返しパターンが考えられるが、この他パターン長の異なる複数の記録パターンを混合しても構わない。
【００３４】
また、本発明では、磁界変調記録方式及び光変調記録方式のいずれも採用することができ、いずれの方式でも、非記録トラック領域に光学ピックアップの変調伝達関数（ＭＴＦ）のカットオフ周波数以上の周波数成分を有する記録パターンを記録する工程をその方式に沿った記録方法で行えばよい。
【００３５】
まず、磁界変調記録方式で記録パターンを形成する場合の実施の形態を説明する。
このとき、例えば図２に示す構成の記録装置を用いることができる。
図２に示す記録装置２０は、光照射手段として高出力のレーザ２１とレーザ光ＬＢを光磁気ディスク１０に集光させる集光レンズ２２とを有して成る光学ヘッド２３と、磁界印加手段として磁気ヘッド２４と、光磁気ディスク１０を回転させるスピンドルモーター２５と、光磁気ディスク１０の位置をモニタするための位置センサー２６と、光磁気ディスク１０を半径方向に移動させるスレッドモーター２７とを備えている。
磁気ヘッド２４は、光磁気ディスク１０を挟んで、光学ヘッド２３の集光レンズ２２に対向する位置に配置されている。
尚、スレッドモーター２７は、この図２では光磁気ディスク１０を半径方向に移動させる構成であるが、磁気ヘッド２４の方を、光磁気ディスク１０に対して半径方向に移動させる構成としてもよい。
さらに、この記録装置２０は、駆動用回路として、記録装置２０全体を制御するシステムコントロール部３１と、レーザ２１の出力を制御するレーザパワー制御回路３２と、磁気ヘッド２４に電流を流すための電流駆動回路３３と、電流を変調するための信号発生器３４と、スピンドルモーター２５の回転数を制御する制御回路（図示せず）等を有する。
【００３６】
また、好ましくは、レーザ光ＬＢを集光させる集光レンズ２２に、アクチュエータが組み込まれてフォーカスサーボが掛けられるように構成する。このように構成することにより、収差によるレーザ光ＬＢのパワー変動を抑制することができ、良好な記録が行える。
【００３７】
本実施の形態においては、特に、記録装置２０の光学ヘッド２３から光磁気ディスク１０に照射されるレーザ光ＬＢのスポットを、複数の記録トラックに跨るようなスポットとする。
具体的には、例えば図３に示すように、多数（十数本〜数十本）の記録トラックＴに跨るようなスポット４１とする。
図３では、記録トラックＴの幅方向に長軸を有する楕円形状のスポット４１となっている。また、図３中右側に記録トラックＴの幅方向のレーザ光ＬＢの強度分布を示し、図３中下側にディスクの移動方向４４のレーザ光ＬＢの強度分布を示すように、記録トラックＴの幅方向では広い範囲にわたってレーザ光ＬＢの強度が大きくなっているのに対して、ディスクの移動方向４４では強度の変化が急峻になっている。これにより、記録層５のキュリー温度の等温線は、図３中４２で示すようになる。
この場合、光磁気ディスク１０の移動方向４４が右から左に向かう方向であるため、図３中左側の斜線を付した領域４３は、既に初期化が済んだ領域である。
また、レーザ光ＬＢのスポットを幅広にしたことに対応して、磁気ヘッド２４もこの多数の記録トラックＴに対して外部磁界を印加することができるような幅にする。そして、この磁気ヘッド２４から、図３中左上に示すような変調された外部磁界が印加される。この外部磁界は、時間経過に従い向きが繰り返し反転するものであり、これにより光磁気ディスク１０に記録パターン（マーク）を形成することができる。この外部磁界の向きが反転する周期は、記録パターン（マーク）のマーク長に対応して設定される。
【００３８】
好ましくは、光磁気ディスク１０に形成されるレーザ光ＬＢのスポットサイズを１００μｍ程度もしくはそれ以上とする。即ち、通常の光ディスクや光磁気ディスクに対して記録や再生を行うために形成されるスポットサイズと比較すると、非常に大きいスポットサイズである。
このような大きいスポットサイズのレーザ光ＬＢを照射する構成の記録装置２０としては、具体的には例えばＤＶＤ（Ｄｉｇｉｔａｌ  Ｖｅｒｓａｔｉｌｅ  Ｄｉｓｃ）において個々のディスクを識別するＩＤ（ユニークＩＤ）を記録する際に用いられるＢＣＡ（Ｂｕｒｓｔ  Ｃｕｔｔｉｎｇ  Ａｒｅａ）記録に採用されている記録装置が挙げられる。
【００３９】
次に、上述した記録装置２０により、光学ピックアップの変調伝達関数（ＭＴＦ）のカットオフ周波数以上の周波数成分を有する記録パターンを光磁気ディスク１０に記録する工程を説明する。
まず、光磁気ディスク１０をスピンドルモーター２５にセットし、光磁気ディスク１０を回転させる。
そして、レーザ光ＬＢのパワーを、光磁気ディスク１０の盤面上における温度が記録層５のキュリー点よりも高くなるように設定する。
【００４０】
尚、このとき、光磁気ディスク１０の盤面上における平均温度が記録層５のキュリー点よりも高くなるように、光学ヘッド２３から照射されるレーザ光ＬＢについて、記録周波数程度の周波数でパルス発光をさせても構わない。その場合には図２に示した記録装置２０において、レーザ２１とシステムコントロール部３１との間にもパルス発光のための信号発生器を設ける。
【００４１】
そして、信号発生器３４で発生した信号パターンにより磁気ヘッド２４に流れる電流が変調され、これにより磁気ヘッド２４から、時間によりその向きが変化する外部磁界、例えば図３中左上に示した外部磁界が発生して、光磁気ディスク１０に記録パターンを記録することができる。
【００４２】
このとき、記録パターンが記録された、即ち初期化された領域の拡大図を図４に示す。図４においては、記録パターン（マーク）４５を黒く塗りつぶして示している。図４に示すように、上述した記録方法により、グルーブＧ及びランドＬの両方、即ち記録トラック領域及び非記録トラック領域の両方に、記録パターン（マーク）４５が形成される。
【００４３】
そして、同じ半径位置ｒ１において、１周分の記録パターン（マーク）４５の記録が終了した後に、レーザ光ＬＢのスポット４１の記録トラックＴの幅方向の大きさに応じて、スレッドモーター２７で光磁気ディスク１０（或いは磁気ヘッド２４）を送り、その半径位置ｒ２において記録パターン（マーク）４５の記録を行う。
このようにして、最終的には光磁気ディスク１０の全面に記録パターン（マーク）４５を記録して、初期化を完了する。
【００４４】
このとき、記録される記録パターン（マーク）４５が所望のパターン長（マーク長）になるように、スピンドルモーター２５による光磁気ディスク１０の回転数を設定する。この回転数は、さらに記録パターンの光磁気ディスク１０の半径位置や、磁気ヘッド２４に流れる電流の変調信号の周波数に対応して設定される。
【００４５】
例えば、所望のマーク長をＬ（μｍ）、光磁気ディスク１０の半径位置をｒ（μｍ）、変調信号の周波数をｆ（ＭＨｚ）、回転数をＲｏｔ（ｒｐｍ）とした場合には、
Ｌ＝１／（２ｆ）×ｒ×Ｒｏｔ×２π／６０  （１）
の関係が成り立ち、ＭＴＦのカットオフ周波数以上の周波数を有する限界のマーク長がＬｍである場合には、
Ｌｍ≧Ｌ＝１／（２ｆ）×ｒ×Ｒｏｔ×２π／６０  （２）
を満たすように、半径位置ｒに応じて、周波数と回転数を設定すればよい。
【００４６】
尚、式（２）を満たしていれば、変調信号の周波数ｆ及び光磁気ディスク１０の回転数Ｒｏｔを共に変化させる代わりに、変調信号の周波数ｆ或いは光磁気ディスク１０の回転数Ｒｏｔのいずれか一方を固定して、他方を変化させるようにしてもよい。
【００４７】
また、式（２）を満たしていれば、光磁気ディスク１０の半径位置ｒによらず、信号発生器３４からの変調信号の周波数ｆ及び光磁気ディスク１０の回転数を共に固定することも可能である。
この場合、光磁気ディスク１０の半径位置ｒによって記録されるマークのマーク長が変化することになる。
このとき、信号発生器３４からの変調信号の周波数ｆ（ＭＨｚ）及び光磁気ディスク１０の回転数Ｒｏｔ（ｒｐｍ）を固定したときの、使用する半径位置ｒの範囲において記録されるマーク長は、式（１）  から求めることができる。
例えば記録に使用される光磁気ディスク１０の半径位置ｒを内周ｒｍｉｎ〜外周ｒｍａｘの範囲とした場合には、式（１）からこの範囲におけるマーク長の最小値Ｌｍｉｎ及び最大値Ｌｍａｘが求められる。そして、この範囲で式（２）を満たすように、即ちマーク長の最小値Ｌｍｉｎと最大値Ｌｍａｘについて、Ｌｍｉｎ＜Ｌｍａｘ＜Ｌｍが常に成り立つように、信号発生器３４からの変調信号の周波数ｆ及び光磁気ディスク１０の回転数Ｒｏｔを固定すればよい。
【００４８】
そして、光磁気ディスク１０の使用により、光磁気ディスク１０に記録される情報に対応した記録パターンが記録トラック領域に記録される。
例えばグルーブＧを記録トラック領域とする場合には、光磁気ディスク１０に記録される情報に対応した記録パターンがグルーブＧに記録される。
【００４９】
尚、一般的な（磁気超解像方式ではない）光磁気ディスクでは、この光磁気ディスクに記録される情報に対応した記録パターンは、記録された情報の再生（読み出し）を行う必要があるため、ＭＴＦのカットオフ周波数よりも小さい周波数成分を有しており、その分マーク長が長くなる。このときの記録パターンの状態を図５に示す。図５に示すように、非記録トラック領域であるランドＬにはＭＴＦのカットオフ周波数以上の周波数成分を有する記録パターン（マーク）４５が残るが、その一方で記録トラック領域であるグルーブＧでは、マーク長が長く情報に対応した記録パターン（マーク）４６に書き換えられている。
【００５０】
これに対して、前述した磁気超解像方式の光磁気ディスク１０においては、記録トラック領域においては、磁区が拡大されるためＭＴＦのカットオフ周波数よりも大きい周波数成分を有する短い記録パターン（マーク）でも検出することが可能になることから、非記録トラック領域の記録パターン（マーク）よりもマーク長の小さい記録パターン（マーク）が記録される。ただし、これは情報の内容にもよっており、例えば０又は１が数個〜十数個連続するような箇所では図５に示したような長い記録パターン（マーク）４６になる。
このとき、非記録トラック領域では、記録パターン（マーク）４５が拡大して検出されることのないように、レーザ光が当たっても温度が上昇して磁区が拡大しないようにレーザ光の強度分布を制御する。
【００５１】
このようにして、光磁気ディスク１０に対して、少なくともその非記録トラック領域に、ＭＴＦのカットオフ周波数以上の周波数成分を有する記録パターンが記録される。
【００５２】
上述したように初期化を行うことにより、得られる光磁気ディスク１０は、非記録トラック領域において、ＭＴＦのカットオフ周波数以上の周波数成分を有する記録パターン（マーク）が記録されていると共に、この記録パターン（マーク）が複数本の非記録トラックにおいて磁化がそろって同様のパターンに形成されている特徴を有する。
【００５３】
上述したように、少なくとも非記録トラック領域にＭＴＦのカットオフ周波数以上の周波数成分を有する記録パターン（マーク）を記録することにより、非記録トラック領域（グルーブ記録の場合にはランド）からのノイズ成分を抑制し、良好なＳ／Ｎ比を実現することができる光磁気ディスク１０を得ることができる。
【００５４】
上述の本実施の形態によれば、光学ヘッド２３から光磁気ディスク１０にその多数の記録トラックＴに跨るスポットとなるようにレーザ光ＬＢを照射すると共に、光学ピックアップのＭＴＦのカットオフ周波数以上の周波数を有する変調信号が磁気ヘッド２４に供給されて、この変調信号により磁気ヘッド２４から多数の記録トラックＴに跨って向きが繰り返し反転する外部磁界を印加している。
これにより、磁界変調記録方式によって、多数の記録トラックＴの範囲にあるランドＬ及びグルーブＧに対して同時に光学ピックアップのＭＴＦのカットオフ周波数以上の周波数成分を有する記録パターン（マーク）を記録することができる。
このように、トラッキングを掛けることなく、多数の記録トラックＴの範囲にあるランドＬ及びグルーブＧに対して同時に記録することができるため、短い時間で光磁気ディスク１０全体に対して記録パターン（マーク）を記録して、光磁気ディスク１０の初期化を完了させることが可能になる。
従って、初期化に要する時間を短縮することができ、例えば光磁気ディスク１０を製造する際の生産性を向上することや、ユーザー側で初期化する場合にも手早く初期化を行うことが可能になる。
【００５５】
また、本実施の形態によれば、ランドＬ及びグルーブＧに、光学ピックアップのＭＴＦのカットオフ周波数以上の周波数成分を有する記録パターン（マーク）を記録するので、その後記録トラック領域（例えばグルーブ記録の場合はグルーブＧ）に対して光磁気ディスク１０に記録する情報に対応した信号を記録した後でも、記録トラック領域の間にある非記録トラック領域（例えばグルーブ記録の場合はランドＬ）には光学ピックアップのＭＴＦのカットオフ周波数以上の周波数成分を有する記録パターン（マーク）が残る。この記録パターン（マーク）は、ＭＴＦのカットオフ周波数以上の周波数成分を有するため、上述の情報に対応した信号を再生する際には検出されないことから、その結果として、再生信号に対する非記録トラック領域（例えばランドＬ）からのノイズ成分を低減することができる。
従って、ノイズ成分が少なく、良好な再生信号が得られ、良好なＳ／Ｎ比を有する光磁気ディスク１０を実現することができる。
【００５６】
即ち本実施の形態によれば、初期化に要する時間を短縮して、例えば生産性を向上することができると共に、ノイズ成分が低減され良好な再生信号が得られる光磁気ディスク１０を実現することができる。
【００５７】
上述の実施の形態では、磁界変調記録方式により、光学ピックアップのＭＴＦのカットオフ周波数以上の周波数成分を有する記録パターンを記録したが、光変調記録方式により光学ピックアップのＭＴＦのカットオフ周波数以上の周波数成分を有する記録パターンを記録することもできる。
光変調記録方式で信号を記録する場合には、通常の記録方法では、基本的に使用している光学系のＭＴＦのカットオフ周波数以上の周波数成分を有する信号を記録することは困難である。
しかし、光磁気記録のような記録層のキュリー温度を超えたところだけが磁化が反転する記録方式の場合には、発光パルス幅を狭くして、温度上昇を急峻にすることにより、ＭＴＦのカットオフ周波数以上の周波数成分を有する記録パターン（マーク）を記録することが可能である。
また、連続したパターンを記録する場合に、前後のマークと熱的な干渉が生じてしまうことを防ぐためには、マークに対応する発光パルス幅を非常に狭くすると共に、照射のピークパワーを充分に大きくするように変調することで対応できる。非記録トラック領域に記録したマークは基本的に再生することがないため、ＭＴＦのカットオフ周波数以上の周波数成分を有する記録パターン（マーク）になっていれば良い。
【００５８】
続いて、光変調記録方式で記録パターンを形成する場合の実施の形態を説明する。
このとき、例えば図６に示す構成の記録装置を用いることができる。
図６に示す記録装置５０は、光照射手段として高出力のレーザ２１とレーザ光ＬＢを光磁気ディスク１０に集光させる集光レンズ２２とを有して成る光学ヘッド２３と、磁界印加手段として磁気ヘッド２４と、光磁気ディスク１０を回転させるスピンドルモーター２５と、光磁気ディスク１０の位置をモニタするための位置センサー２６と、光磁気ディスク１０を半径方向に移動させるスレッドモーター２７とを備えている。
磁気ヘッド２４は、光磁気ディスク１０を挟んで、光学ヘッド２３の集光レンズ２２に対向する位置に配置されている。
尚、スレッドモーター２７は、この図６では光磁気ディスク１０を半径方向に移動させる構成であるが、磁気ヘッド２４の方を、光磁気ディスク１０に対して半径方向に移動させる構成としてもよい。
さらに、この記録装置５０は、駆動用回路として、記録装置５０全体を制御するシステムコントロール部３１と、レーザ２１の出力を制御するレーザパワー制御回路３２と、磁気ヘッド２４に電流を流すための電流駆動回路３３と、電流を変調するための信号発生器３４と、スピンドルモーター２５の回転数を制御する制御回路（図示せず）等を有する。
図２の記録装置２０では、信号発生器３４は磁気ヘッド２４用の電流駆動回路３３に接続されていたが、この記録装置５０では、信号発生器３４が光学ヘッド２３用のレーザパワー制御回路３２に接続されている。
【００５９】
また、好ましくは、レーザ光ＬＢを集光させる集光レンズ２２に、アクチュエータが組み込まれてフォーカスサーボが掛けられるように構成する。このように構成することにより、収差によるレーザ光ＬＢのパワー変動を抑制することができ、良好な記録が行える。
【００６０】
尚、この光変調記録方式の記録装置５０では、磁束の向きを反転させる機構を有していれば、磁気ヘッド２４の代わりに永久磁石を用いても構わない。
【００６１】
本実施の形態においては、特に、記録装置５０の光学ヘッド２３から光磁気ディスク１０に照射されるレーザ光ＬＢのスポットを、複数の記録トラックに跨るようなスポットとする。
具体的には、例えば図７に示すように、多数（十数本〜数十本）の記録トラックＴに跨るようなスポット４１とする。
図７では、記録トラックＴの幅方向に長軸を有する楕円形状のスポット４１となっている。また、図７中右側に記録トラックＴの幅方向のレーザ光ＬＢの強度分布を示し、図７中下側にディスクの移動方向４４のレーザ光ＬＢの強度分布を示すように、記録トラックＴの幅方向では広い範囲にわたってレーザ光ＬＢの強度が大きくなっているのに対して、ディスクの移動方向４４では強度の変化が急峻になっている。さらに、図７中右上に示すように光学ヘッド２３のレーザ２１に対して、パルス状にレーザパワーが時間変化するようにしてパルス発光させる。これにより、例えばレーザ光ＬＢの強度が大きいときの記録層５のキュリー温度の等温線は、図７中４２で示すようになる。このレーザパワーの変化の周期は、記録パターン（マーク）のマーク長に対応して設定される。尚、図７ではレーザ光ＬＢの強度の最小値はある程度の強度を有しているが、レーザ光ＬＢの強度の最小値が０即ち全く発光しないようにしてもよい。
この場合も、光磁気ディスク１０の移動方向４４は右から左に向かう方向であり、図７中左側の斜線を付した領域４３が既に初期化が済んだ領域となる。
また、レーザ光ＬＢのスポットを幅広にしたことに対応して、磁気ヘッド２４もこの多数の記録トラックＴに対して外部磁界を印加することができるような幅にする。そして、この磁気ヘッド２４から、一定方向の外部磁界が印加される。
そして、レーザ光ＬＢ及び外部磁界により、光磁気ディスク１０に記録パターン（マーク）を形成することができる。
【００６２】
好ましくは、光磁気ディスク１０に形成されるレーザ光ＬＢのスポットサイズを１００μｍ程度もしくはそれ以上とする。即ち、通常の光ディスクや光磁気ディスクに対して記録や再生を行うために形成されるスポットサイズと比較すると、非常に大きいスポットサイズである。
このような大きいスポットサイズのレーザ光ＬＢを照射する構成の記録装置５０としては、具体的には例えば前述したＤＶＤのユニークＩＤを記録する際に用いられるＢＣＡ記録に採用されている記録装置が挙げられる。
【００６３】
次に、上述した記録装置５０により、ＭＴＦのカットオフ周波数以上の周波数成分を有する記録パターンを光磁気ディスク１０に記録する工程を説明する。
この記録装置５０の場合には、光変調方式で記録を行うことから、一度グルーブＧ及びランドＬの記録層の磁化を一方向にそろえる必要がある。
次に、光磁気ディスク１０をスピンドルモーター２５にセットし、光磁気ディスク１０を回転させる。
また、レーザ光ＬＢのＤＣパワー（レーザパワーの最大値）を、光磁気ディスク１０の盤面上における温度が記録層５のキュリー点よりも高くなるように設定する。
【００６４】
そして、一方向に揃えられたランドＬ及びグルーブＧの記録層の磁化の向きとは反対の向きの外部磁界を磁気ヘッド２４から印加すると共に、信号発生器３４で発生した信号パターンにより光学ヘッド２３のレーザ２１のパワーを制御することによって時間によりレーザパワーを例えば図７中右上に示したようにパルス状に変化させてパルス発光させる。これら磁気ヘッド２４の外部磁界とレーザ２１のパルス発光により、記録層において大きいレーザパワーのレーザ光ＬＢが照射された領域の磁化が反転するので、光磁気ディスク１０に例えば先に図４に示したと同様の記録パターン（マーク）を記録することができる。
【００６５】
そして、同じ半径位置ｒ１において、１周分の記録パターン（マーク）の記録が終了した後に、レーザ光ＬＢのスポット４１の記録トラックＴの幅方向の大きさに応じて、スレッドモーター２７で光磁気ディスク１０を送り、その半径位置ｒ２において、まずランドＬ及びグルーブＧの磁化を磁気ヘッド２４からの外部磁界により一方向に揃え、その後磁気ヘッド２４の外部磁界の向きを反転させると共にレーザパワーが変調されたレーザ光ＬＢを照射して記録パターン（マーク）の記録を行う。
このようにして、最終的には光磁気ディスク１０の全面に記録パターン（マーク）を記録して、初期化を完了する。
尚、グルーブＧ及びランドＬの記録層５の磁化を一方向に揃える過程は、最初に光磁気ディスク１０全面に対して行うことも可能であるが、このようにスレッドモーター２７で光磁気ディスク１０を送り半径位置を移動させる度に、記録パターン（マーク）の記録に先立って行うようにすれば、同じ磁気ヘッド２４で外部磁界の向きを反転させるだけで効率良く行うことができる。
【００６６】
このとき、記録される記録パターン（マーク）が所望のパターン長（マーク長）になるように、スピンドルモーター２５による光磁気ディスク１０の回転数を設定する。この回転数は、さらに記録パターンの光磁気ディスク１０の半径位置や、光学ヘッド２３のレーザ２１に流れる電流の変調信号の周波数ｆに対応して設定される。
この場合も、前述した式（１）（２）に従い、半径位置ｒに応じて、所望のマーク長の記録パターン（マーク）が記録されるように、変調信号の周波数ｆと光磁気ディスク１０の回転数を設定すればよい。
また、この場合も、前述したように、半径位置ｒに応じて、マーク長を変化させることも可能である。
【００６７】
上述の本実施の形態によれば、磁気ヘッド２４からの外部磁界で記録層５の磁化を一様な方向に揃えた後、磁気ヘッド２４からこの一様な方向とは反対の向きの外部磁界を印加すると共に、光学ピックアップのＭＴＦのカットオフ周波数以上の周波数を有する変調信号が光学ヘッド２３のレーザ２１に供給されて、この変調信号によりレーザ２１がパルス発光して、レーザパワーが最大のときに光磁気ディスク１０の多数の記録トラックＴに跨るスポットとなるようにレーザ光ＬＢを照射している。
これにより、光変調記録方式によって、多数の記録トラックＴの範囲にあるランドＬ及びグルーブＧに対して同時に光学ピックアップのＭＴＦのカットオフ周波数以上の周波数成分を有する記録パターン（マーク）を記録することができる。
このように、トラッキングを掛けることなく、多数の記録トラックＴの範囲にあるランドＬ及びグルーブＧに対して同時に記録することができるため、短い時間で光磁気ディスク１０全体に対して記録パターン（マーク）を記録して、光磁気ディスク１０の初期化を完了させることが可能になる。
従って、先の実施の形態と同様に、初期化に要する時間を短縮することができ、例えば光磁気ディスク１０を製造する際の生産性を向上することや、ユーザー側で初期化する場合にも手早く初期化を行うことが可能になる。
【００６８】
また、本実施の形態によれば、ランドＬ及びグルーブＧに、光学ピックアップのＭＴＦのカットオフ周波数以上の周波数成分を有する記録パターン（マーク）を記録するので、その後記録トラック領域（例えばグルーブ記録の場合はグルーブＧ）に対して光磁気ディスク１０に記録する情報に対応した信号を記録した後でも、記録トラック領域の間にある非記録トラック領域（例えばグルーブ記録の場合はランドＬ）には光学ピックアップのＭＴＦのカットオフ周波数以上の周波数成分を有する記録パターン（マーク）が残る。この記録パターン（マーク）は、ＭＴＦのカットオフ周波数以上の周波数成分を有するため、上述の情報に対応した信号を再生する際には検出されないことから、その結果として、再生信号に対する非記録トラック領域（例えばランドＬ）からのノイズ成分を低減することができる。
従って、先の実施の形態と同様に、ノイズ成分が少なく、良好な再生信号が得られ、良好なＳ／Ｎ比を有する光磁気ディスク１０を実現することができる。
【００６９】
即ち本実施の形態によれば、先の実施の形態と同様に、初期化に要する時間を短縮して、例えば生産性を向上することができると共に、ノイズ成分が低減され良好な再生信号が得られる光磁気ディスク１０を実現することができる。
【００７０】
ここで、実際に光磁気ディスク１０を作製し、初期化の条件を変えて比較を行った。
尚、以下の各実施例及び比較例において、記録パターン（マーク）の記録には、磁界変調記録方式、光変調記録方式のいずれを採用してもよいため、特に記録方式を特定していない。記録される記録パターン（マーク）のマーク長が同一であれば、いずれの記録方式により記録してもほぼ同様の結果が得られる。
【００７１】
（実施例１）
磁気超解像（ＭＳＲ）方式の光磁気ディスク１０を使用し、グルーブＧ及びランドＬに光学ピックアップのＭＴＦのカットオフ周波数を超えた周波数成分を有する記録パターン（マーク）としてマーク長３Ｔ（０．３２μｍ）のマークパターンを記録して初期化を行った後に、情報を記録する代わりにグルーブＧのみにマーク長２Ｔ（０．２１μｍ）の繰り返しパターンを記録して実施例１の光磁気ディスクを得た。
【００７２】
（比較例１）
光磁気ディスクの記録層の磁化を成膜直後の状態としたままで、グルーブＧにマーク長２Ｔの繰り返しパターンを記録して比較例１の光磁気ディスクを得た。
【００７３】
（比較例２）
グルーブＧ及びランドＬにマーク長８Ｔ（０．８５μｍ）の繰り返しパターンを記録した後に、グルーブＧにマーク長２Ｔの繰り返しパターンを記録して比較例２の光磁気ディスクを得た。
【００７４】
そして、光学ピックアップの光学系を、波長７８０ｎｍ、開口数０．４５として、この光学ピックアップを用いて、実施例１、比較例１、比較例２の各光磁気ディスクのグルーブＧに再生用のレーザ光を照射して再生を行った。
尚、線速度ｖ＝１．９２ｍ／ｓ、記録変調方式：１−７ＲＬＬ（Ｒｕｎ  Ｌｅｎｇｔｈ  Ｌｉｍｉｔｅｄ）方式、クロック周波数を１８ＭＨｚとした。
【００７５】
実施例１、比較例１、並びに比較例２の光磁気ディスクにおいて、上述の再生を行ったときのノイズスペクトラムを比較して図８に示す。
図８より、実施例１（曲線Ｉ）ではＭＴＦのカットオフ周波数Ｆ（約２．３ＭＨｚ）より小さい周波数のノイズ成分が、比較例１及び比較例２と比べて減少していることがわかる。比較例２（曲線ＩＩＩ  ）のマーク長が８Ｔと長い記録パターン（マーク）を形成した場合には、この記録パターンによるクロストーク成分が検出されてしまっている。
【００７６】
（実施例２）
グルーブＧ及びランドＬに、マーク長２Ｔの繰り返しマークパターンを記録した後に、グルーブＧにランダムパターンを記録して実施例２の光磁気ディスクを得た。
【００７７】
（比較例３）
光磁気ディスクの記録層の磁化を成膜直後の状態としたままで、グルーブＧにランダムパターンを記録して比較例３の光磁気ディスクを得た。
【００７８】
（比較例４）
グルーブＧ及びランドＬにマーク長８Ｔの繰り返しマークパターンを記録した後に、グルーブＧにランダムパターンを記録して比較例４の光磁気ディスクを得た。
【００７９】
そして、前述した光学系を有する光学ピックアップを用いて、実施例２、比較例３、比較例４の各光磁気ディスクのグルーブＧに再生用のレーザ光を照射して再生を行った。
尚、線速度ｖ＝１．９２ｍ／ｓ、記録変調方式：１−７ＲＬＬ方式、クロック周波数を１８ＭＨｚとした。
【００８０】
実施例２、比較例３、並びに比較例４の光磁気ディスクにおいて、再生パワーに対するビットエラーレートを比較して図９に示す。
図９より、実施例２では、特に１．８ｍＷ〜２．８ｍＷの範囲でエラーレートが小さくなっており、良好な再生信号が得られることがわかる。
【００８１】
上述の各実施の形態では、グルーブ記録の場合について主として説明したが、ランド記録の場合も同様にして、光学ピックアップの変調伝達関数（ＭＴＦ）のカットオフ周波数以上の周波数成分を有する記録パターンを記録することができる。グルーブ記録の場合はランドＬが非記録トラック領域となるのに対して、ランド記録の場合はグルーブＧが非記録トラック領域となり、いずれの場合も情報に対応した記録を行った後に非記録トラック領域に上記カットオフ周波数以上の周波数成分を有する記録パターンが残るので、非記録トラック領域から再生信号へのノイズ成分を低減することができる。
【００８２】
また、上述の各実施の形態では、図１に示した光磁気ディスク１０、即ち磁気超解像方式（ＭＳＲ方式）の光磁気ディスクに適用して本発明を説明したが、本発明の初期化方法は、磁気超解像方式（ＭＳＲ方式）以外の光磁気ディスクに対しても同様に適用することができるものである。
特に磁気超解像方式（ＭＳＲ方式）の光磁気ディスクでは、記録トラックに対して非記録トラック領域等からの浮遊磁界が影響するので、本発明の初期化方法により非記録トラック領域からのノイズ成分を低減できることによるメリットが大きい。
【００８３】
本発明は、上述の実施の形態に限定されるものではなく、本発明の要旨を逸脱しない範囲でその他様々な構成が取り得る。
【００８４】
【発明の効果】
上述の本発明によれば、トラッキングを掛けることなく、複数の記録トラックの範囲に対して同時に記録パターンを記録することができるため、短い時間で高速に光磁気ディスクの初期化を完了させることが可能になる。
従って、初期化に要する時間を短縮することができ、例えば光磁気ディスク１０を製造する際の生産性を向上することや、ユーザー側で初期化する場合にも手早く簡便に初期化を行うことが可能になる。
【００８５】
また、本発明によれば、狭トラックピッチ化に伴い影響が大きくなる、再生信号に対する非記録トラック領域からのノイズ成分を低減することができため、ノイズ成分が少なく、良好な再生信号が得られ、良好なＳ／Ｎ比を有する光磁気ディスクを実現することができる。
【図面の簡単な説明】
【図１】本発明に適用される光磁気ディスクの一形態の概略構成図（拡大断面図）である。
【図２】磁界変調記録方式で記録を行う記録装置を示す図である。
【図３】磁界変調記録方式で記録を行う場合の記録方法を説明する図である。
【図４】記録パターンが記録され初期化された領域の拡大図である。
【図５】光磁気ディスクに記録される情報に対応した記録パターンが記録された状態を示す図である。
【図６】光変調記録方式で記録を行う記録装置を示す図である。
【図７】光変調記録方式で記録を行う場合の記録方法を説明する図である。
【図８】実施例１、比較例１、並びに比較例２の光磁気ディスクにおいて、再生を行ったときのノイズスペクトラムを比較した図である。
【図９】実施例２、比較例３、並びに比較例４の光磁気ディスクにおいて、再生パワーとビットエラーレートとの関係を比較した図である。
【符号の説明】
１  基板、３  再生層、４  切断層、５  記録層、１０  光磁気ディスク、２０，５０  記録装置、２１  レーザ、２２  集光レンズ、２３  光学ヘッド、２４磁気ヘッド、２５  スピンドルモーター、２７  スレッドモーター、３１  システムコントロール部、３２  レーザパワー制御回路、３３  電流駆動回路、３４  信号発生器、４５  記録パターン（マーク）、Ｇ  グルーブ、Ｌ  ランド、ＬＢ  レーザ光、Ｔ  記録トラック
【図１】
2004164694.tif 000003
【図２】
2004164694.tif 000004
【図３】
2004164694.tif 000005
【図４】
2004164694.tif 000006
【図５】
2004164694.tif 000007
【図６】
2004164694.tif 000008
【図７】
2004164694.tif 000009
【図８】
2004164694.tif 000010
【図９】
2004164694.tif 000011